(57)【特許請求の範囲】
【請求項１】
画像データを読み出し、読み出した前記画像データを無線送信可能なＦＰＤカセッテと、
前記ＦＰＤカセッテと無線通信可能で、互いに異なる場所に配置され、異なる識別情報を有する複数のアクセスポイントと、
前記複数のアクセスポイントのうち一のアクセスポイントを経由して、前記ＦＰＤカセッテから前記画像データを取得するコンソールと、
を備える放射線画像撮影システムにおいて、
前記複数のアクセスポイントのうち一のアクセスポイントの前記識別情報を前記ＦＰＤカセッテに設定する設定手段を有し、
前記設定手段は、
前記ＦＰＤカセッテを挿入可能で、前記互いに異なる場所に配置され、異なる識別情報を有する複数のクレードルと、
前記複数のアクセスポイントの識別情報および前記複数のアクセスポイントが配置された場所を管理する管理装置と、
を備え、
前記コンソールは、複数の前記クレードルのうちの一の前記クレードルに前記ＦＰＤカセッテが挿入され、前記ＦＰＤカセッテが挿入された一の前記クレードルの識別情報または前記ＦＰＤカセッテが挿入された前記一のクレードルからの信号を中継する中継器の識別情報が送信されてくると、前記一のクレードルの識別情報または前記中継器の識別情報に基づいて当該ＦＰＤカセッテが存在する場所を認識し、前記管理装置に当該ＦＰＤカセッテが存在する場所の情報を通知し、
前記管理装置は、前記コンソールから通知された前記情報に基づいて前記ＦＰＤカセッテが存在する場所を管理するとともに、前記複数のアクセスポイントの中から当該場所に対応付けられている前記アクセスポイントの識別情報を抽出して前記コンソールに通知し、
前記コンソールは当該アクセスポイントの識別情報を前記クレードルに挿入されている前記ＦＰＤカセッテに送信し、前記ＦＰＤカセッテは、前記コンソールから送信されてきた前記アクセスポイントの識別情報を用いて前記一のアクセスポイントと通信可能となることを特徴とする放射線画像撮影システム。
【発明の詳細な説明】
【技術分野】
【０００１】
本発明は、放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）カセッテが開発され、最近では、照射された放射線を、２次元状に配置された放射線検出素子で検出して、デジタル画像データとして取得する放射線画像撮影装置が開発されている。
【０００３】
このタイプの放射線画像撮影装置はＦＰＤ（Flat Panel Detector）として知られており、従来は支持台と一体的に形成された、いわゆる専用機型の放射線画像撮影装置として形成されていた（例えば特許文献１参照）。しかし、近年、放射線検出素子等をハウジングに収納して可搬とされた可搬型放射線画像撮影装置が開発され、実用化されている（例えば特許文献２、３参照）。
【０００４】
また、このような可搬型放射線画像撮影装置では、バッテリを内蔵し、アンテナ等を備えた無線通信手段を介した電波のやりとりで信号やデータ等の送受信を行う放射線画像撮影装置が開発されている（例えば特許文献４等参照）。なお、以下、可搬型放射線画像撮影装置を、ＦＰＤカセッテという。
【０００５】
また、ＦＰＤカセッテとしては、照射されたＸ線等の放射線の線量に応じて検出素子で電荷を発生させて電気信号に変換するいわゆる直接型のＦＰＤカセッテや、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型のＦＰＤカセッテが種々開発されている。
【０００６】
なお、本発明では、直接型のＦＰＤカセッテにおける検出素子や、間接型のＦＰＤカセッテにおける光電変換素子を、あわせて放射線検出素子という。
【０００７】
ところで、ＦＰＤカセッテは、上記のように可搬性を有するため、例えば特許文献５に記載されているように、病院等に撮影室が複数存在するような状況では、放射線技師等の撮影者がＦＰＤカセッテを各撮影室に持ち運んで放射線画像撮影に用いることが可能となるといった特徴を有している。
【０００８】
しかし、このような状況では、ＦＰＤカセッテが何れの撮影室で行われた撮影で用いられたかを的確に把握できないと、例えば、当該ＦＰＤカセッテから送信されてきた画像データに対して、画像データのゲイン値を補正するためのゲイン補正データや欠陥を有する放射線検出素子の位置等を特定するための欠陥補正データ等として、誤って他のＦＰＤカセッテ用のデータを適用してしまい、画像データに基づいて生成される放射線画像が異常な画像になってしまう危険性が生じる。
【０００９】
また、当該ＦＰＤカセッテを用いた撮影の撮影条件等を指定し、また、当該撮影で得られた放射線画像等を対応付けて管理するために必要な撮影オーダ情報に対して、別のＦＰＤカセッテで撮影された画像データや、それに基づく放射線画像が誤って対応付けられてしまう等の危険性も生じる。
【００１０】
そこで、特許文献５では、例えば、各ＦＰＤカセッテにＲＦＩＤ（Radio Frequency IDentification）タグを設け、各撮影室の前室（操作室等ともいう。）にタグリーダを設けておき、撮影者がＦＰＤカセッテを持ち込んだ場合に、タグリーダでＦＰＤカセッテのＲＦＩＤタグを読み取る。或いは、ＦＰＤカセッテを撮影室に持ち込んだ撮影者がＦＰＤカセッテをクレードルに挿入する。
【００１１】
そして、タグリーダで読み取られたＦＰＤカセッテのカセッテＩＤ等や、クレードルを介して出力されたＦＰＤカセッテのカセッテＩＤ等の情報が、ネットワークを介して各コンソールに通知されることで、各コンソールで、各ＦＰＤカセッテが何れの撮影室にあるかを把握し、例えば、撮影者の要求に応じて各ＦＰＤカセッテの存在場所を表すマップを表示することで、撮影者が、各ＦＰＤカセッテが何れの撮影室にあるかを認識することができる放射線画像撮影システムの発明が開示されている。
【先行技術文献】
【特許文献】
【００１２】
【特許文献１】特許第３６３９７５０号公報
【特許文献２】特開２００６−０５８１２４号公報
【特許文献３】特開平６−３４２０９９号公報
【特許文献４】特開平７−１４０２５５号公報
【特許文献５】国際公開２００８／１１１３５５号パンフレット
【発明の概要】
【発明が解決しようとする課題】
【００１４】
ところで、ＦＰＤカセッテがどこで使用されたかを的確に把握できないと、撮影オーダ情報に誤った画像データや放射線画像を対応付けてしまったり、ＦＰＤカセッテから送信されてきた画像データに対して誤った補正データを適用してしまう等の問題が生じ得る。
【００１５】
そして、画像データや放射線画像の撮影オーダ情報への対応付けや、補正データの適用等を、撮影者がいちいち自ら行わなければならないようでは、放射線画像撮影システムが撮影者にとって非常に使い勝手が悪いものになってしまう。
【００１６】
本発明は、上記の課題を鑑みてなされたものであり、ＦＰＤカセッテが撮影室から別の撮影室に持ち運ばれて使用される状況においても、ＦＰＤカセッテが存在する場所を適切に管理して、ＦＰＤカセッテから適切なコンソールに画像データを送信することが可能な放射線画像撮影システムを提供することを目的とする。
【課題を解決するための手段】
【００１７】
前記の問題を解決するために、本発明の放射線画像撮影システムは、
画像データを読み出し、読み出した前記画像データを無線送信可能なＦＰＤカセッテと、
前記ＦＰＤカセッテと無線通信可能で、互いに異なる場所に配置され、異なる識別情報を有する複数のアクセスポイントと、
前記複数のアクセスポイントのうち一のアクセスポイントを経由して、前記ＦＰＤカセッテから前記画像データを取得するコンソールと、
を備える放射線画像撮影システムにおいて、
前記複数のアクセスポイントのうち一のアクセスポイントの前記識別情報を前記ＦＰＤカセッテに設定する設定手段を有し、
前記設定手段は、
前記ＦＰＤカセッテを挿入可能で、前記互いに異なる場所に配置され、異なる識別情報を有する複数のクレードルと、
前記複数のアクセスポイントの識別情報および前記複数のアクセスポイントが配置された場所を管理する管理装置と、
を備え、
前記コンソールは、複数の前記クレードルのうちの一の前記クレードルに前記ＦＰＤカセッテが挿入され、前記ＦＰＤカセッテが挿入された一の前記クレードルの識別情報または前記ＦＰＤカセッテが挿入された前記一のクレードルからの信号を中継する中継器の識別情報が送信されてくると、前記一のクレードルの識別情報または前記中継器の識別情報に基づいて当該ＦＰＤカセッテが存在する場所を認識し、前記管理装置に当該ＦＰＤカセッテが存在する場所の情報を通知し、
前記管理装置は、前記コンソールから通知された前記情報に基づいて前記ＦＰＤカセッテが存在する場所を管理するとともに、前記複数のアクセスポイントの中から当該場所に対応付けられている前記アクセスポイントの識別情報を抽出して前記コンソールに通知し、
前記コンソールは当該アクセスポイントの識別情報を前記クレードルに挿入されている前記ＦＰＤカセッテに送信し、前記ＦＰＤカセッテは、前記コンソールから送信されてきた前記アクセスポイントの識別情報を用いて前記一のアクセスポイントと通信可能となることを特徴とする。
【発明の効果】
【００１８】
本発明のような方式の放射線画像撮影システムによれば、ＦＰＤカセッテが撮影室から別の撮影室に持ち運ばれて使用される状況においても、ＦＰＤカセッテが存在する場所を適切に管理して、ＦＰＤカセッテから適切なコンソールに画像データを送信することが可能となる。
【００１９】
そのため、送信される画像データの混信が生じることを確実に防止して、適切なコンソールのみに画像データを送信することが可能となる。
【図面の簡単な説明】
【００２３】
【図１】ＦＰＤカセッテの外観斜視図である。
【図２】図１のＦＰＤカセッテを反対側から見た外観斜視図である。
【図３】図１におけるＡ−Ａ線に沿う断面図である。
【図４】ＦＰＤカセッテの基板の構成を示す平面図である。
【図５】図４の基板上の小領域に形成された放射線検出素子とＴＦＴ等の構成を示す拡大図である。
【図６】フレキシブル回路基板やＰＣＢ基板等が取り付けられた基板を説明する側面図である。
【図７】本実施形態に係る放射線画像撮影システムにおける固定型撮影システムの全体構成を示す図である。
【図８】各撮影室内の構成を示す図である。
【図９】ＦＰＤカセッテのコネクタとブッキー装置のコネクタとが接続された状態を表す外観斜視図である。
【図１０】カセッテ保持部の内部にコネクタが設けられたブッキー装置を説明する図である。
【図１１】ＦＰＤカセッテがクレードルに挿入され、コネクタ同士が接続された状態を表す断面図である。
【図１２】タグリーダを備える構成を示す図である。
【図１３】撮影オーダ情報の例を示す図である。
【図１４】撮影オーダ情報を表示する選択画面の例を示す図である。
【図１５】選択された各撮影オーダ情報に対応する各アイコン等が表示された画面の例を示す図である。
【図１６】アイコンの位置にプレビュー画像が表示された状態を示す図である。
【図１７】アイコンの位置に放射線画像が表示された状態を示す図である。
【図１８】各ＦＰＤカセッテが現在何れの撮影室内に存在するかを表すマップの例を示す図である。
【図１９】各ＦＰＤカセッテが現在何れの撮影室の何れの撮影装置の近傍に存在するかを表すマップの例を示す図である。
【図２０】図１８の状態からさらにもう１つのＦＰＤカセッテのカセッテＩＤが送信された際のマップを表す図である。
【図２１】図２０の状態からさらに１つのＦＰＤカセッテが他の撮影室に搬送された場合のマップを表す図である。
【図２２】撮影室に何れのコンソールが対応付けられているかも盛り込むように構成されたマップの例を表す図である。
【図２３】図２１の状態からさらに１つのＦＰＤカセッテが他の撮影室に搬送された場合のマップを表す図である。
【図２４】本実施形態に係る放射線画像撮影システムにおける移動型撮影システムの構成を示す図である。
【図２５】回診設定用のクレードルがネットワークに接続された場合の放射線画像撮影システムの全体構成を表す図である。
【図２６】回診設定用のクレードルを設けない場合の放射線画像撮影システムの全体構成を表す図である。
【発明を実施するための形態】
【００２４】
以下、本発明に係る放射線画像撮影システムの実施の形態について、図面を参照して説明する。ただし、本発明は以下の図示例のものに限定されるものではない。
【００２５】
［ＦＰＤカセッテについて］
まず、本実施形態に係る放射線画像撮影システム１００における放射線画像撮影に用いられるＦＰＤカセッテ１について説明する。
【００２６】
なお、以下では、ＦＰＤカセッテ１として、シンチレータ等を備え、放射された放射線を可視光等の他の波長の電磁波に変換して電気信号を得るいわゆる間接型のＦＰＤカセッテについて説明するが、本発明は、シンチレータ等を介さずに放射線を放射線検出素子で直接検出する、いわゆる直接型のＦＰＤカセッテに対しても適用することができる。
【００２７】
図１は、ＦＰＤカセッテの外観斜視図であり、図２は、ＦＰＤカセッテを反対側から見た外観斜視図である。また、図３は、図１のＡ−Ａ線に沿う断面図である。ＦＰＤカセッテ１は、図１〜図３に示すように、筐体状のハウジング２内にシンチレータ３や基板４等で構成されるセンサパネルＳＰが収納されている。
【００２８】
図１や図２に示すように、ＦＰＤカセッテ１の筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。
【００２９】
図１に示すように、筐体２の一方側の蓋部材２Ｂには、電源スイッチ３７や選択スイッチ３８、コネクタ３９、バッテリ状態やＦＰＤカセッテ１の稼働状態等を表示するＬＥＤ等で構成されたインジケータ４０等が配置されている。
【００３０】
また、図２に示すように、筐体２の反対側の蓋部材２Ｃには、ＦＰＤカセッテ１の識別情報であるカセッテＩＤを無線で管理装置Ｓに送信したり、画像データＤ等を後述するコンソールＣに無線で転送するための無線通信手段であるアンテナ装置４１が埋め込まれている。なお、アンテナ装置４１を設ける場合には、アンテナ装置４１の筐体２上の配置場所や配置する個数は適宜決められる。
【００３１】
また、本実施形態では、アンテナ装置４１は、ＩＥＥＥ８０２．１１規格に準拠した無線ＬＡＮにより、後述するアクセスポイント５３を介してコンソールＣ等と無線通信を行うことができるように構成されている。
【００３２】
筐体２の内部には、図３に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。なお、基板４やシンチレータ３の放射線入射面Ｒ側には、それらを保護するためのガラス基板３５が配設されている。また、センサパネルＳＰと筐体２の側面との間にも緩衝材３６が設けられている。
【００３３】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００３４】
基板４は、ガラス基板で構成されており、図４に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３５】
このように、走査線５と信号線６で区画された各小領域ｒに二次元状（マトリクス状ともいう。）に配列された複数の放射線検出素子７が設けられた領域ｒ全体、すなわち図４に一点鎖線で示される領域が検出部Ｐとされている。
【００３６】
放射線検出素子７としては、フォトダイオードが用いられているが、この他にも例えばフォトトランジスタ等を用いることも可能である。各放射線検出素子７は、図４の拡大図である図５に示すように、スイッチ手段であるＴＦＴ８のソース電極８ｓに接続されている。また、ＴＦＴ８のドレイン電極８ｄは信号線６に接続されている。
【００３７】
また、ＴＦＴ８は、図示しないゲートドライバから走査線５を介してゲート電極８ｇにオン電圧が印加されるとオン状態となって放射線検出素子７内に蓄積されている電荷を信号線６に放出させる。また、ゲートドライバから走査線５を介してゲート電極８ｇにオフ電圧が印加されるとオフ状態となって放射線検出素子７から信号線６への電荷の放出を停止して、放射線検出素子７内に電荷を保持するようになっている。
【００３８】
図５に示すように、列状に配置された複数の放射線検出素子７にそれぞれバイアス線９が接続されており、図４に示すように、各バイアス線９は、基板４の検出部Ｐの外側の位置で１本の結線１０に結束されている。そして、図示しないバイアス電源から結線１０およびバイアス線９を通じて各放射線検出素子７に逆バイアス電圧が印加されるようになっている。
【００３９】
また、各走査線５や各信号線６、バイアス線９の結線１０は、それぞれ基板４の端縁部付近に設けられた入出力端子（パッドともいう）１１に接続されている。各入出力端子１１には、図６に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００４０】
また、フレキシブル回路基板１２は、基板４の裏面４ｂ側に引き回され、裏面４ｂ側で前述したＰＣＢ基板３３に接続されるようになっている。このようにして、ＦＰＤカセッテ１のセンサパネルＳＰの基板４部分が形成されている。なお、図６では、電子部品３２等の図示が省略されている。
【００４１】
一方、ＦＰＤカセッテ１では、患者の身体等の被写体を介して放射線が照射された後、各放射線検出素子７から画像データＤの読み出し処理が行われるようになっており、本実施形態では、ＦＰＤカセッテ１は、各放射線検出素子７から読み出した各画像データＤから所定の割合でデータを間引いてデータ量を減少させた間引きデータＤｔを作成するようになっている。
【００４２】
そして、ＦＰＤカセッテ１は、撮影が終了するごとに、無線通信手段であるアンテナ装置４１から後述するアクセスポイント５３を介して後述するコンソールＣに間引きデータＤｔを送信するようになっている。そして、間引きデータＤｔを送信した後、続けて自動的に画像データＤを送信するようになっている。なお、送信される間引きデータＤｔや画像データＤには、当該ＦＰＤカセッテ１のカセッテＩＤが付帯されて送信されるようになっている。
【００４３】
また、ＦＰＤカセッテ１は、各画像データＤに重畳されている暗電荷に起因するオフセット分を取得するためのダーク読取処理を所定のタイミングで行うようになっており、ダーク読取処理で読み出したダーク読取値ｄに基づいて算出したオフセット補正値ＯをコンソールＣに自動的に送信するようになっている。
【００４４】
一方、本実施形態では、ＦＰＤカセッテ１は、放射線技師等の撮影者により電源スイッチ３７が押下されて電源がオンになると、自らの識別情報であるカセッテＩＤと、自らが起動したことを示す起動信号とを、アンテナ装置４１を介してコンソールＣに送信し、また、放射線技師等の撮影者により電源スイッチ３７が押下されて電源をオフされた場合には、ＦＰＤカセッテ１は、電源をオフする前に、自らの識別情報であるカセッテＩＤと、自らがオフ状態になることを示す停止信号とを、アンテナ装置４１を介してコンソールＣに送信するようになっている。
【００４５】
また、放射線画像撮影や画像データＤの読み出し処理等を行わない場合に、各機能部に電力を供給すると、ＦＰＤカセッテ１に内蔵された図示しないバッテリが消耗してしまうため、ＦＰＤカセッテ１は、各機能部に電力を供給して放射線画像撮影を行うことができる状態、すなわち撮影可能な状態とする撮影可能モードと、電力消費を抑制するために、アンテナ装置４１等の必要な機能部にのみ電力を供給して少なくとも放射線検出素子には電力の供給を停止して放射線画像撮影ができないスリープモードとの間で、各機能部に対する電力供給モードを切り替えることができるようになっている。
【００４６】
そして、ＦＰＤカセッテ１は、電力供給モードを切り替える際に、コンソールＣに、撮影可能モードになったことを表す信号、或いは、スリープモードになったことを表す信号を、それぞれ自らのカセッテＩＤとともに送信するようになっている。
【００４７】
［固定型撮影システムについて］
次に、放射線画像撮影システム１００における、撮影室ＲやコンソールＣ、管理装置Ｓ等がネットワークＮを介して接続されて構成された固定型撮影システム５０について説明する。なお、この固定型撮影システム５０は、後述する回診車７１等に搭載されて移動可能な移動型撮影システム７０に対する表現であり、撮影室Ｒ等が移動せず設置場所に固定されたものであることに由来する。
【００４８】
なお、以下では、固定型撮影システム５０が、複数の撮影室Ｒ（Ｒ１〜Ｒ３）と複数のコンソールＣ（Ｃ１、Ｃ２）とを備えて構成されている場合について説明するが、撮影室ＲとコンソールＣの何れか或いは両方が単数であってもよい。図７は、本実施形態に係る放射線画像撮影システムにおける固定型撮影システムの全体構成を示す図である。
【００４９】
各撮影室Ｒ（図７では撮影室Ｒ１〜Ｒ３）は、患者の身体の一部である被写体（すなわち患者の撮影部位）に放射線を照射して放射線画像撮影を行う部屋であり、各撮影室Ｒには、被写体に放射線を照射するための放射線源５２がそれぞれ配置されている。
【００５０】
また、各撮影室Ｒには、無線通信手段（すなわちアンテナ装置４１）を備えたＦＰＤカセッテ１から無線送信された信号を受信可能なアクセスポイント５３がそれぞれ設けられている。なお、本発明は、撮影室Ｒを３つ設けられる場合に限定されず、任意の数だけ設けることが可能である。
【００５１】
そして、各アクセスポイント５３は、後述する中継器５４を介してＬＡＮ（Local Area Network）等のネットワークＮに接続されており、ネットワークＮには、コンソールＣ（図７ではコンソールＣ１、Ｃ２）や管理装置Ｓがそれぞれ接続されている。また、図示を省略するが、ネットワークＮには、さらに、他のコンピュータや、放射線画像をフィルム等の画像記録媒体に記録して出力するイメージャ等の外部機器、ＨＩＳ（Hospital Information System；病院情報システム）、ＲＩＳ（Radiology Information System；放射線科情報システム）等の必要な装置が接続されている。
【００５２】
なお、図７では、ネットワークＮに撮影室ＲやコンソールＣが接続されている場合が示されているが、撮影室ＲとコンソールＣとが予め独自の回線で接続されていて、コンソールＣと管理装置ＳとがネットワークＮや独自の回線等で接続されるように構成することも可能である。
【００５３】
次に、固定型撮影システム５０における各撮影室Ｒ内の構成等について説明する。
【００５４】
図８に示すように、ブッキー装置５１は、カセッテ保持部（カセッテホルダともいう。）５１ａにＦＰＤカセッテ１を装填して用いることができるようになっている。
【００５５】
なお、図８では、撮影室Ｒに、ブッキー装置５１として立位撮影用のブッキー装置５１Ａと臥位撮影用のブッキー装置５１Ｂが設置されている場合が示されているが、例えば、立位撮影用のブッキー装置５１Ａのみ、或いは臥位撮影用のブッキー装置５１Ｂのみが設けられているような場合にも本発明は適用される。
【００５６】
ブッキー装置５１は、カセッテ保持部５１ａに従来のＣＲカセッテを装填して用いることもできるように構成されており、撮影室ＲにＣＲカセッテ用に設置されている既存のブッキー装置が用いられる。
【００５７】
そのため、上記のＦＰＤカセッテ１は、ＣＲカセッテと同様の寸法になるように形成されている。すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００５８】
そして、このＪＩＳ規格サイズのＣＲカセッテを装填することができるブッキー装置５１への装填使用を可能とするため、ＦＰＤカセッテ１も、ＣＲカセッテが準拠するスクリーンフィルム用のカセッテにおけるＪＩＳ規格に準拠した寸法で形成されている。
【００５９】
なお、スクリーン／フィルムカセッテやＣＲカセッテ用の既存のブッキー装置を用いない場合には、ＦＰＤカセッテ１を上記の寸法で形成する必要はなく、ＦＰＤカセッテ１を任意の大きさや形状に形成することが可能である。しかし、その際には、ブッキー装置５１として、任意に設定された形状のＦＰＤカセッテ１を装填することができるブッキー装置を新たに撮影室Ｒ内に設置することが必要となる。
【００６０】
また、例えば図９に示すように、ブッキー装置５１から延びるケーブルの先端に設けられたコネクタ５１ｂをＦＰＤカセッテ１のコネクタ３９に接続した状態で、ＦＰＤカセッテ１をブッキー装置５１のカセッテ保持部５１ａに装填するように構成することも可能である。
【００６１】
さらに、例えば図１０に示すように、ブッキー装置５１のカセッテ保持部５１ａの内部に、装填されたＦＰＤカセッテ１のコネクタ３９（図１参照）と接続されるコネクタ５１ｂを設けておき、ＦＰＤカセッテ１を装填すると、ＦＰＤカセッテ１のコネクタ３９とブッキー装置５１のコネクタ５１ｂとが自動的に接続されるように構成することも可能である。
【００６２】
図９や図１０に示したように構成すれば、ブッキー装置５１のコネクタ５１ｂとＦＰＤカセッテ１のコネクタ３９とが接続されることにより、ブッキー装置５１からＦＰＤカセッテ１に電力を供給することが可能となり、ＦＰＤカセッテ１に内蔵されたバッテリの消耗を防止することが可能となる。また、ケーブルを後述する中継器５４に接続して、ブッキー装置５１に装填されたＦＰＤカセッテ１からコンソールＣに画像データＤを送信する際に、有線方式で送信するように構成することも可能である。
【００６３】
図７や図８に示すように、撮影室Ｒには、被写体に放射線を照射する放射線源５２が少なくとも１つ設けられている。
【００６４】
そして、本実施形態では、放射線源５２のうち、１つの放射線源５２Ａ（図８参照）は、例えば撮影室Ｒの天井からつり下げられて配置されるようになっており、撮影時にはコンソールＣからの指示に基づいて起動され、図示しない移動手段により所定の位置にまで移動されるようになっている。そして、図８に示すように、放射線の照射方向を変えることで、立位撮影用のブッキー装置５１Ａや臥位撮影用のブッキー装置５１Ｂに装填されたＦＰＤカセッテ１に対して放射線を照射することができるようになっている。
【００６５】
また、本実施形態では、撮影室Ｒには、立位撮影用や臥位撮影用のブッキー装置５１Ａ、５１Ｂには対応付けられていないポータブルの放射線源５２Ｂも設けられている。ポータブルの放射線源５２Ｂは、撮影室Ｒ内のいかなる場所にも持ち運びでき、任意の方向に放射線を照射できるようになっている。
【００６６】
そして、ＦＰＤカセッテ１を単独の状態（すなわちブッキー装置５１に装填しない状態）で被写体である患者の身体の部分にあてがったり、臥位撮影用のブッキー装置５１Ｂのテーブルや図示しないベッドと患者の身体との間に差し込んだりした状態で、ポータブルの放射線源５２Ｂから適切な距離や方向で放射線を照射することができるようになっている。
【００６７】
放射線源５２は、Ｘ線管球を備えており、Ｘ線管球は、後述する放射線発生装置５７から所定の管電圧や管電流が供給されると、指定された照射時間だけ管電圧等に応じた線量の放射線を照射するようになっている。
【００６８】
撮影室Ｒは放射線が撮影室外に漏洩しないように鉛などでシールドされているため、撮影室Ｒ内でＦＰＤカセッテ１からアンテナ装置４１を介して画像データＤ等の情報を送受信しようとしても、そのままでは送受信することが困難になる。
【００６９】
そこで、図７や図８に示すように、各撮影室Ｒには、ＦＰＤカセッテ１からコンソールＣに画像データＤ等を送信する際に、ＦＰＤカセッテ１から発信された画像データＤ等を受信してコンソールＣに伝送するためのアクセスポイント５３がそれぞれ設けられている。そして、アクセスポイント５３は、後述する中継器５４に接続されており、中継器５４やネットワークＮ（図７参照）を介してコンソールＣや管理装置Ｓと接続されている。
【００７０】
本実施形態では、前述したように、ＦＰＤカセッテ１の無線通信手段（すなわちアンテナ装置４１）としてＩＥＥＥ８０２．１１規格に準拠した無線ＬＡＮが採用されているため、アクセスポイント５３の識別情報としてＳＳＩＤ（Service Set IDntifier）が割り当てられている。なお、他の形態で無線通信を行う場合には、その形態に適合する形のアクセスポイント５３の識別情報が用いられる。
【００７１】
撮影室Ｒ１〜Ｒ３が近接して設けられる場合が多く、前述したように、各撮影室Ｒが鉛などでシールドされているとはいえ、アクセスポイント５３等から発信された電波が他の撮影室Ｒに漏れ出して混信を生じる可能性がある。そのため、通常、各撮影室Ｒ内に設けられるアクセスポイント５３には、それぞれ互いに異なる識別情報（ＳＳＩＤ）が付与されている。また、図８に示すように、撮影室Ｒ内に複数のアクセスポイント５３が設けられる場合も、各アクセスポイント５３にそれぞれ異なる識別情報（ＳＳＩＤ）が割り当てられる。
【００７２】
そして、本実施形態では、ＦＰＤカセッテ１の無線通信手段であるアンテナ装置４１は、アクセスポイント５３のＳＳＩＤを取得すると、そのＳＳＩＤが割り当てられたアクセスポイント５３のみと通信することができるようになっており、他のＳＳＩＤが割り当てられたアクセスポイント５３（すなわち別の撮影室Ｒのアクセスポイント５３）とは通信できないようになっている。そして、このようにして混信が防止されるようになっている。
【００７３】
また、撮影室Ｒには、撮影室Ｒや前室Ｒｏ内の各装置と、撮影室Ｒ外のネットワークＮ（図７参照）との通信を中継する中継器５４が設けられている。図８に示すように、中継器５４は、アクセスポイント５３や、後述する前室Ｒｏの放射線発生装置５７等が接続されており、それらの各装置と、撮影室Ｒ外のコンソールＣや管理装置Ｓとの間の通信を、ネットワークＮ（図７参照）を介して中継するようになっている。
【００７４】
そして、中継器５４は、アクセスポイント５３や後述するクレードル５５、放射線発生装置５７等の撮影室Ｒや前室Ｒｏ内の各装置から、ネットワークＮを介してコンソールＣや管理装置Ｓ等に送信する信号やデータ等を中継する際、それらの信号やデータ等に、自らの識別情報（以下、中継器ＩＤという。）を付帯させて送信するようになっている。
【００７５】
本実施形態では、中継器５４には、クレードル５５が接続されている。本実施形態では、図１１に示すように、撮影室Ｒに持ち込まれたＦＰＤカセッテ１が挿入されて、ＦＰＤカセッテ１のコネクタ３９とクレードル５５のコネクタ５５ａとが接続されると、ＦＰＤカセッテ１からクレードル５５や中継器５４を介してコンソールＣにカセッテＩＤが通知されるようになっている。
【００７６】
なお、クレードル５５は、通常、ＦＰＤカセッテ１等を保管したり充電するために用いられるものであり、本実施形態においても、クレードル５５が充電等の機能を有するように構成することも可能である。さらに、図１１では、ＦＰＤカセッテ１を挿入する挿入口が２個設けられたクレードル５５が示されているが、挿入口は１個でもよく、或いは３個以上設けられていてもよい。
【００７７】
また、クレードル５５は撮影室Ｒと前室Ｒｏの何れに設置されてもよく、撮影室Ｒに設置される場合には、放射線源５２から照射される放射線が到達しない位置、すなわち、例えば撮影室Ｒのコーナーの位置等に設置される。
【００７８】
さらに、前述したように、クレードル５５に挿入されたＦＰＤカセッテ１からカセッテＩＤがコンソールＣに通知されると、後述するように、コンソールＣから当該ＦＰＤカセッテ１に対して当該撮影室Ｒに設置されたアクセスポイント５３のＳＳＩＤが通知されるようになっている。
【００７９】
そして、ＦＰＤカセッテ１は、通知されたＳＳＩＤを記憶して、以後の画像データＤの無線送信の際には、前述したように、当該ＳＳＩＤが割り当てられた当該撮影室Ｒのアクセスポイント５３のみと通信して、当該アクセスポイント５３を介して画像データＤ等をコンソールＣに送信するようになっている。
【００８０】
なお、撮影室Ｒ内に持ち込まれたＦＰＤカセッテ１を検知してコンソールＣにカセッテＩＤを通知する手段としては、上記のようにクレードル５５を用いる代わりに、或いは、それと併用して、図１２に示すように、例えば撮影室Ｒや前室Ｒｏの扉付近にタグリーダ５８を設けるように構成することも可能である。
【００８１】
このように構成する場合、予め、ＦＰＤカセッテ１内に、いわゆるＲＦＩＤタグ等の図示しないタグを内蔵させておき、タグにＦＰＤカセッテ１のカセッテＩＤ等の固有情報を記憶させておく。そして、ＦＰＤカセッテ１がタグリーダ５８の近傍を通過して撮影室Ｒや前室Ｒｏに持ち込まれる際に、タグリーダ５８でＦＰＤカセッテ１のタグからカセッテＩＤ等の情報を読み取ってコンソールＣに通知するように構成することが可能である。
【００８２】
このように、タグリーダ５８を用いるように構成する場合、ＦＰＤカセッテ１の撮影室Ｒ内への持ち込みと当該撮影室Ｒからの持ち出しの両方を検知することが可能となる。
【００８３】
また、クレードル５５やタグリーダ５８を用いる代わりに、或いは、それらと併用して、放射線技師等の撮影者がＦＰＤカセッテ１を撮影室Ｒ内に持ち込んだ時点で、ＦＰＤカセッテ１を操作してポーリング（polling）を行うことで（すなわち当該撮影室Ｒのアクセスポイント５３に対してＳＳＩＤを送信する要求を行うことで）、アクセスポイント５３からＦＰＤカセッテ１にＳＳＩＤを送信させて取得するように構成することも可能である。
【００８４】
また、ポーリング操作がなされた場合には、アクセスポイント５３からＦＰＤカセッテ１に対してＳＳＩＤが通知されるとともに、アクセスポイント５３に対してＦＰＤカセッテ１からカセッテＩＤを送信して、アクセスポイント５３や中継器５４を介してコンソールＣにＦＰＤカセッテ１のカセッテＩＤを送信するように構成される。
【００８５】
図８に示すように、前室Ｒｏには、放射線源５２に対して放射線の照射開始等を指示するために撮影者が操作する曝射スイッチ５６等を備えた放射線発生装置５７が設けられている。
【００８６】
そして、放射線発生装置５７は、コンソールＣからの指示に基づいて、放射線源５２に所定の管電圧や管電流等を供給したり、放射線源５２を所定の位置に移動させたり、放射線源５２の照射方向を変える等して、放射線源５２を起動させるようになっている。
【００８７】
また、放射線発生装置５７は、放射線源５２から放射線を照射させるごとに、コンソールＣに対して、撮影実施結果、すなわち放射線を照射させた際の管電流や管電圧、照射時間等に関する結果（フィルタを用いたか否か等の情報を含む場合もある。）を送信するようになっている。
【００８８】
次に、撮影室Ｒ以外にネットワークＮに接続されているコンソールＣや管理装置Ｓについて説明する。まず、コンソールＣ（図７参照）について説明する。
【００８９】
コンソールＣは、図示しないＣＰＵやＲＯＭ、ＲＡＭ、入出力インターフェース等がバスに接続されたコンピュータ等で構成されている。ＲＯＭには所定のプログラムが格納されており、コンソールＣは、必要なプログラムを読み出してＲＡＭの作業領域に展開してプログラムに従って各種処理を実行するようになっている。
【００９０】
コンソールＣには、ＣＲＴ（Cathode Ray Tube）やＬＣＤ（Liquid Crystal Display）等からなる図示しない表示部が設けられており、その他、キーボードやマウス等の図示しない入力手段等が接続されている。また、コンソールＣには、ハードディスク等で構成された図示しない記憶手段が接続されており、或いは、内蔵されている。
【００９１】
コンソールＣでは、放射線技師等の撮影者により、撮影に用いられる撮影室Ｒが指定できるようになっており、この指定により、コンソールＣと撮影室Ｒとが対応付けられるようになっている。
【００９２】
また、前述したように、本実施形態では、図７や図８等に示したように、撮影室Ｒや前室Ｒｏ内の各装置からコンソールＣ等に信号等を送信する場合には、全て中継器５４を経由して送信されるようになっており、信号等には中継器５４の中継器ＩＤが付帯されて送信されるため、コンソールＣは、この中継器ＩＤを参照することで、当該信号等がどの撮影室Ｒから送信されてきたものであるかを的確に認識することができる。
【００９３】
そのため、本実施形態では、コンソールＣは、予め撮影室Ｒの識別情報と撮影室Ｒ内に設けられた中継器５４の中継器ＩＤとを対応付けたテーブルを備えており、信号やデータ等が送信されてくると、その信号等に付帯されている中継器ＩＤを参照して、当該信号等がどの撮影室Ｒから送信されてきたものであるかを認識するようになっている。
【００９４】
また、前述したように、ＦＰＤカセッテ１から送信されてくる画像データＤ等には、当該ＦＰＤカセッテ１のカセッテＩＤや中継器５４の中継器ＩＤ等が付帯されており、また、後述するようにＦＰＤカセッテ１がどの撮影室Ｒ内に存在するかが管理されていて、しかも、画像データＤ等は、ＦＰＤカセッテ１が存在する撮影室Ｒに設置されたアクセスポイント５３のみを介して（すなわち他の撮影室Ｒのアクセスポイント５３を介することなく）送信されてくる。
【００９５】
そのため、コンソールＣが上記のように撮影室Ｒを指定して撮影室Ｒと対応付けられると、当該撮影室Ｒ内のＦＰＤカセッテ１から送信された間引きデータＤｔや画像データＤ等が、的確に当該コンソールＣに送信されるようになっている。そして、コンソールＣは、当該画像データＤ等が、撮影室Ｒ内に存在する当該ＦＰＤカセッテ１から送信されたものであることを的確に確認したうえで、画像データＤ等に対する処理を行うことが可能となる。
【００９６】
コンソールＣは、ＦＰＤカセッテ１から送信されてきた画像データＤ等を記憶手段に保存されるようになっている。なお、コンソールＣにおける間引きデータＤｔや画像データＤに対する処理については、後で説明する。
【００９７】
コンソールＣは、前述したように、撮影室Ｒに持ち込まれたＦＰＤカセッテ１がクレードル５５に挿入されて、ＦＰＤカセッテ１のカセッテＩＤ等がクレードル５５や中継器５４を介して送信されてくると、そのカセッテＩＤを記憶手段に保存して、そのカセッテＩＤを有するＦＰＤカセッテ１が撮影室Ｒに持ち込まれたことを認識して管理するようになっている。
【００９８】
なお、撮影室Ｒ等にタグリーダ５８（図１２参照）が設けられている場合や、撮影者によりポーリング操作が行われた場合にも、ＦＰＤカセッテ１のカセッテＩＤ等が送信されてくるため、コンソールＣは、同様にして、そのカセッテＩＤを記憶手段に保存して、そのカセッテＩＤを有するＦＰＤカセッテ１が撮影室Ｒに持ち込まれたことを認識して管理する。
【００９９】
一方、コンソールＣは、撮影室Ｒ内のＦＰＤカセッテ１から前述した停止信号が送信されてくると、記憶手段に保存されている当該カセッテＩＤに対応付けられて保存されている当該ＦＰＤカセッテ１の稼動状態を表す情報が、停止状態を表す情報である場合はそのままとし、起動状態を表す情報である場合は、カセッテＩＤに停止状態を表す情報を新たに対応付けて上書き保存する。
【０１００】
そして、コンソールＣは、撮影室Ｒ内のＦＰＤカセッテ１から前述した起動信号が送信されてくると、記憶手段に保存されている当該カセッテＩＤに対応付けられて保存されている当該ＦＰＤカセッテ１の稼動状態を表す情報が、起動状態を表す情報である場合はそのままとし、停止状態を表す情報である場合は、カセッテＩＤに起動状態を表す情報を新たに対応付けて上書き保存する。
【０１０１】
コンソールＣは、このようにして、ＦＰＤカセッテ１の稼動状態が、現在、起動状態（すなわち電源がオンされている状態）と停止状態（すなわち電源がオフされている状態）の何れの状態にあるかを認識して管理するようになっている。
【０１０２】
コンソールＣは、前述したように、ＦＰＤカセッテ１から撮影可能モードになったことを表す信号がカセッテＩＤとともに送信されてくると、記憶手段に保存されている当該カセッテＩＤに対応付けられて保存されている当該ＦＰＤカセッテ１の電力供給モードを表す情報が、撮影可能モードを表す情報である場合はそのままとし、スリープモードを表す情報である場合は、カセッテＩＤに撮影可能モードを表す情報を新たに対応付けて上書き保存する。
【０１０３】
また、ＦＰＤカセッテ１からスリープモードになったことを表す信号がカセッテＩＤとともに送信されてきた場合には、記憶手段に保存されている当該カセッテＩＤに対応付けられて保存されている当該ＦＰＤカセッテ１の電力供給モードモードを表す情報が、スリープモードを表す情報である場合はそのままとし、保存されているモードを表す情報が撮影可能モードを表す情報である場合は、カセッテＩＤにスリープモードを表す情報を新たに対応付けて上書き保存する。
【０１０４】
コンソールＣは、このようにして、ＦＰＤカセッテ１が、現在、撮影可能モードとスリープモードとの何れの電力供給モードにあるかを認識して管理するようになっている。
【０１０５】
以下、本実施形態における、コンソールＣ等を含む各装置間のネットワークＮを介した情報のやり取り等について説明する前に、コンソールＣによる放射線発生装置５７に対する制御やコンソールＣにおける画像処理等について説明する。
【０１０６】
コンソールＣは、撮影者の操作により、ネットワークＮに接続された図示しないＨＩＳやＲＩＳから、撮影オーダ情報等の必要な情報を入手するようになっている。
【０１０７】
撮影オーダ情報は、少なくとも撮影部位と撮影条件を指定して設定されるようになっている。具体的には、撮影オーダ情報は、図１３に例示するように、患者情報としての「患者ＩＤ」Ｐ２、「患者氏名」Ｐ３、「性別」Ｐ４、「年齢」Ｐ５、「診療科」Ｐ６、および「撮影部位」Ｐ７、および撮影条件としての「撮影方向」Ｐ８や使用するブッキー装置５１を表す「ブッキーＩＤ」Ｐ９や使用するカセッテの「カセッテＩＤ」Ｐ１０等で構成されるようになっている。そして、撮影オーダが登録された順に、各撮影オーダ情報に対して「撮影オーダＩＤ」Ｐ１が自動的に割り当てられるようになっている。
【０１０８】
コンソールＣは、撮影オーダ情報を入手すると、図１４に示すように、表示部上に各撮影オーダ情報の一覧を選択画面Ｈ１として表示するようになっている。本実施形態では、選択画面Ｈ１には、撮影オーダ情報表示欄ｈ１１や選択ボタンｈ１２、決定ボタンｈ１３、戻るボタンｈ１４が表示されるようになっている。
【０１０９】
そして、例えば、撮影者が選択ボタンｈ１２をクリックして、各撮影オーダ情報を選択して、決定ボタンｈ１３をクリックすると、コンソールＣは、表示部上に図１５に示すような画面Ｈ２を表示するようになっている。
【０１１０】
画面Ｈ２には、図１５に示すように、各撮影オーダ情報に対応する各アイコンＩが表示され、各アイコンＩの下部には、後述するように、アイコンＩの位置に表示されるプレビュー画像ｐ_preを撮影者が見て再撮影が不要と判断したり、アイコンＩの位置に表示される放射線画像ｐが正常であると判断して放射線画像ｐを確定させる際にクリックする「ＯＫ」ボタンと、再撮影が必要であったり、放射線画像ｐに対する画像処理等をやり直す際にクリックする「ＮＧ」ボタンがそれぞれ表示されている。
【０１１１】
また、画面Ｈ２の右側に表示されている照射条件の設定用の表示Ｉａ上の各項目の「＋」ボタンや「−」ボタンをクリックすることで、放射線発生装置５７の放射線源５２の管電圧や管電流、照射時間等の照射条件を変更して設定することができるようになっている。
【０１１２】
一方、本実施形態では、各アイコンＩ１〜Ｉ４は、何れか１つのアイコンＩ（図１５の場合はアイコンＩ２）が目立つようにフォーカスされて表示されるようになっており、フォーカスされているアイコンＩに対応する撮影オーダ情報に基づく撮影が行われるようになっている。なお、撮影者が、別の撮影オーダ情報に基づく撮影を行いたい場合には、その撮影オーダ情報に対応する他のアイコンＩをクリックする等して操作することにより、フォーカスを遷移させることができるようになっている。
【０１１３】
また、本実施形態では、コンソールＣは、フォーカスされているアイコンＩに対応する撮影オーダ情報に基づく撮影が行われるように、撮影室Ｒ内の放射線発生装置５７を制御して、放射線源５２に所定の管電圧や管電流、照射時間等の照射条件で起動させたり、放射線源５２を移動させたり、その照射方向を変えさせるようになっている。
【０１１４】
なお、画面Ｈ２の左側には、フォーカスして表示されているアイコンＩに対応する撮影オーダ情報で指定された撮影部位が、撮影者が一目で分かるように表した人体モデルＩｂ上に表示されるようになっている。
【０１１５】
一方、フォーカスして表示されたアイコンＩに対応する撮影オーダ情報に基づく放射線画像撮影が行われると、前述したように、ＦＰＤカセッテ１からは、各放射線検出素子７の画像データＤから作成された間引きデータＤｔが送信されてくる。コンソールＣは、ＦＰＤカセッテ１から間引きデータＤｔが送信されてくると、図１６に示すように、送信されてきた間引きデータＤｔに基づくプレビュー画像を、フォーカスされていた元のアイコンＩ２の位置に表示するようになっている。
【０１１６】
なお、撮影者がプレビュー画像ｐ_preを見易いように、プレビュー画像ｐ_preを画面Ｈ２上に拡大して表示するように構成することも可能である。
【０１１７】
また、その後、当該ＦＰＤカセッテ１から画像データＤが送信されてくると、コンソールＣは、画像データＤに付帯されている当該ＦＰＤカセッテ１のカセッテＩＤや中継器５４の中継器ＩＤを参照し、当該アイコンＩに対応する撮影オーダ情報に指定されているＦＰＤカセッテ１であること等を確認する。
【０１１８】
そして、前述したように、当該撮影で放射線源５２から放射線を照射させた放射線発生装置５７から撮影実施結果が送信されてきているため、コンソールＣは、当該アイコンＩに対応する撮影オーダ情報に指定されている撮影条件と、放射線発生装置５７から送信されてきた撮影実施結果を対照して、当該撮影が当該撮影オーダ情報に基づいて行われたものであることを確認する。
【０１１９】
そして、コンソールＣは、上記の確認がとれた場合に、撮影オーダ情報に画像データＤと撮影実施結果とを対応付けるようになっている。
【０１２０】
そして、コンソールＣは、プレビュー画像ｐ_preを所定時間表示する間に、プレビュー画像ｐ_preを見た撮影者が「ＮＧ」ボタンをクリックしなければ、図１７に示すように、フォーカスして表示するアイコンＩを例えばアイコンＩ３に遷移させるとともに、元のアイコンＩ２に対応する撮影でＦＰＤカセッテ１から送信されてきた画像データＤ等に基づく放射線画像ｐの生成処理を開始するようになっている。
【０１２１】
なお、プレビュー画像ｐ_preを見た撮影者が上記の所定時間の間に「ＮＧ」ボタンをクリックした場合には、撮影オーダ情報に対する画像データＤや撮影実施結果の対応付けを解除するとともに、間引きデータＤｔや画像データＤを抹消する。また、画像データＤ等に基づく放射線画像ｐの生成処理も行わない。
【０１２２】
コンソールＣは、後述するように、撮影に用いられたＦＰＤカセッテ１に関する補正データ、すなわち前述したゲイン補正データや欠陥補正データ等を予め管理装置Ｓから入手している。また、前述したように、ＦＰＤカセッテ１からは撮影ごとにオフセット補正値Ｏが送信されてくる。
【０１２３】
そのため、放射線画像ｐの生成処理では、コンソールＣは、それらに基づいて、オフセット補正やゲイン補正、欠陥画素補正、撮影部位に応じた諧調処理等の処理を行うようになっている。また、撮影の際に、ＦＰＤカセッテ１にグリッドを取り付けて撮影が行われている場合があるため、グリッドによるモアレ除去のためのフィルタリング処理をさらに行うようになっている。
【０１２４】
グリッドを用いた撮影を行う場合、グリッドピッチとＦＰＤカセッテ１の画素サイズとの関係で、画像データＤにモアレを生じる場合がある。このモアレ対策として、例えば特開２０００−３１６１２６号公報に記載されているように、使用するグリッドを適正に選択すれば、モアレ発生を避けることができる。また、特開平８−８８７６５号公報に記載されているように、一旦、身近のグリッドを使用して撮影を行い、画像データＤ中に含まれるモアレ成分を、次工程でフィルタリング処理して除去することも知られている。
【０１２５】
ＦＰＤカセッテ１の場合、本実施形態で説明するように複数の撮影室Ｒで使用されたり、後述する実施形態で説明するように回診先で使用されるので、使用するグリッド種を制限することは得策ではない。すなわち、ＣＲカセッテを用いて撮影を行っていた際に使用されていたグリッドをそのまま使用することが好ましい。また、撮影の都度、各撮影に使用したグリッドピッチ情報を読取り画像に対応付けて保存とすることも可能であるが、
専用機型の放射線画像撮影装置の場合とは異なり、ＦＰＤカセッテ１の場合、グリッドピッチ情報を対応付けるには、大がかりな既存の撮影設備改造が必要になり、しかも、各撮影における放射線技師等の撮影者の操作も増えるため、現実的ではない。
【０１２６】
従って、使用するグリッドを限定せず、使用可能性のあるグリッドピッチに対応したモアレ除去フィルタを予め数種準備しておき、画像データＤに対して、予め準備しておいた全てのフィルタを順次適用することで、モアレのない放射線画像ｐを得る方法が、ＦＰＤカセッテ１にとっては好ましい。
【０１２７】
コンソールＣは、放射線画像ｐを生成すると、図１６に示したように、元のアイコンＩ２の位置に表示する。そして、放射線画像ｐを見た撮影者が、生成された放射線画像ｐが正常であると判断して「ＯＫ」ボタンをクリックすると、放射線画像ｐを確定させて、放射線画像ｐを撮影オーダ情報に対応付けるようになっている。
【０１２８】
次に、ネットワークＮに接続されている管理装置Ｓについて説明する。
【０１２９】
管理装置Ｓは、図示しないＣＰＵやＲＯＭ、ＲＡＭ、入出力インターフェース等がバスに接続されたサーバコンピュータ等で構成されている。ＲＯＭには所定のプログラムが格納されており、コンソールＣは、必要なプログラムを読み出してＲＡＭの作業領域に展開してプログラムに従って各種処理を実行するようになっている。
【０１３０】
管理装置Ｓは、下記のようにコンソールＣから各ＦＰＤカセッテ１の存在場所の情報を入手して、各ＦＰＤカセッテ１が何れの撮影室Ｒに存在するか、すなわちＦＰＤカセッテ１の存在場所等を管理するようになっている。なお、管理装置Ｓは、後述する移動型撮影システム７０に関してもＦＰＤカセッテ１の存在場所を管理するようになっているが、この点については後で説明する。
【０１３１】
また、管理装置Ｓは、各ＦＰＤカセッテ１に関するゲイン補正データや欠陥補正データ等の補正データを図示しない記憶手段に記憶しており、上記のように、コンソールＣからＦＰＤカセッテ１の存在場所の情報が送信されてくると、そのコンソールＣに当該ＦＰＤカセッテ１に関する補正データを送信するようになっている。
【０１３２】
なお、各撮影室Ｒ内に設けられている放射線発生装置５７は、全て特性が一致するものではなく、上記のゲイン補正データは各放射線発生装置５７のシェーディングムラ（照射ムラ）をも加味した（シェーディングムラを相殺する）補正値である場合もあるため、この場合には、各撮影室Ｒ（の放射線照射装置５７）に対応付けて、すなわち、各ＳＳＩＤと対応付けて管理されている。
【０１３３】
なお、各ＦＰＤカセッテ１に関する補正データを管理するサーバ等を別に設けておき、管理装置Ｓは、コンソールＣからＦＰＤカセッテ１の存在場所の情報が送信されてきた時点で、サーバ等に指示して、コンソールＣに当該ＦＰＤカセッテ１に関する補正データを送信するように構成することも可能である。
【０１３４】
［固定型撮影システムにおける情報のやり取りの仕方等について］
移動型撮影システム７０について説明する前に、ここで、上記の固定型撮影システム５０における各装置間の情報のやり取りの仕方等の例について説明する。
【０１３５】
なお、以下では、撮影室Ｒにタグリーダ５８（図１２参照）は設けられておらず（従ってＦＰＤカセッテ１にはＲＦＩＤタグ等のタグは設けられていない。）、コンソールＣは、撮影室Ｒ内のクレードル５５を介して、或いは、撮影室Ｒ内に持ち込まれたＦＰＤカセッテ１がポーリング操作されることにより、ＦＰＤカセッテ１のカセッテＩＤが中継器５４を介して送信されてくることで、当該ＦＰＤカセッテ１が当該撮影室Ｒ内に存在することを認識するようになっている。
【０１３６】
放射線技師等の撮影者は、まず、例えばコンソールＣ１（図７参照）を操作して、撮影に用いる撮影室Ｒとして例えば撮影室Ｒ１と撮影室Ｒ２とを指定する。この指定により、コンソールＣ１と撮影室Ｒ１、Ｒ２とが対応付けられる。
【０１３７】
そして、例えば、撮影者がＦＰＤカセッテ１ＡとＦＰＤカセッテ１Ｂの２つのＦＰＤカセッテ１を撮影室Ｒ１に持ち込み、まず、ＦＰＤカセッテ１Ａを、クレードル５５に挿入したとする。すると、クレードル５５に挿入された時点で、ＦＰＤカセッテ１から中継器５４やネットワークＮを介してコンソールＣ１にカセッテＩＤ(1A)が送信される。なお、カセッテＩＤ(1A)には、撮影室Ｒ１の中継器５４の中継器ＩＤ(R1)が付帯されている。
【０１３８】
そして、コンソールＣ１は、中継器ＩＤ(R1)を参照し、ＦＰＤカセッテ１Ａが撮影室Ｒ１に存在することを認識して、ＦＰＤカセッテ１ＡのカセッテＩＤ(1A)を撮影室Ｒ１の識別情報に対応付けて記憶手段に保存する。そして、コンソールＣ１は、ＦＰＤカセッテ１Ａが撮影室Ｒ１に存在することを、管理装置Ｓに通知する。
【０１３９】
なお、上記の通知を受信した段階で、管理装置Ｓから他のコンソールＣ２にも、上記の情報を通知するように構成することも可能である。このように構成すれば、例えば、他の撮影者が撮影室Ｒ３を使用して撮影を行うためにコンソールＣ２を操作した段階で、当該ＦＰＤカセッテ１Ａが撮影室Ｒ１に存在することが分かり、便利である。
【０１４０】
また、本実施形態では、前述したように、コンソールＣ１では、ＦＰＤカセッテ１Ａの稼動状態（すなわち電源がオンされているかオフの状態か）や電力供給モード（すなわち撮影可能モードかスリープモードか）等も認識して管理されるため、これらの情報も管理装置Ｓに通知するように構成することも可能である。そして、このように構成すれば、各ＦＰＤカセッテ１が使用中であるか（すなわち起動状態で撮影可能モードの場合）、使用されていないかを、管理装置Ｓで集約して管理することが可能となる。
【０１４１】
管理装置Ｓは、コンソールＣ１から上記の通知を受けると、その情報を自らの記憶手段に保存して、すなわち撮影室Ｒ１の識別情報にＦＰＤカセッテ１ＡのカセッテＩＤ(1A)を対応付けて保存して管理する。また、それとともに、図１８に示すように、自らの記憶手段上のマップの「撮影室Ｒ１」の欄に、ＦＰＤカセッテ１ＡのカセッテＩＤ(1A)すなわち例えば「ＦＰＤ−００１」を対応付けて保存する。
【０１４２】
また、管理装置Ｓは、コンソールＣ１から上記の通知を受けると、撮影室Ｒ１内に設けられているアクセスポイント５３のＳＳＩＤ(R1)をコンソールＣ１に通知する。コンソールＣ１は、ＳＳＩＤ(R1)を受信すると、ネットワークＮや中継器５４を介してクレードル５５に挿入されているＦＰＤカセッテ１Ａに送信する。
【０１４３】
なお、撮影室Ｒ内にアクセスポイントが１個のみ設けられている場合には、ＦＰＤカセッテ１をクレードル５５に装填した時点で、当該クレードル５５からＦＰＤカセッテ１に直接ＳＳＩＤ(R1)を送信するように構成してもよい。
【０１４４】
このようにして、ＦＰＤカセッテ１Ａに、当該撮影室Ｒ１のアクセスポイント５３のＳＳＩＤ(R1)が通知される。そのため、ＦＰＤカセッテ１Ａは、以後、撮影室Ｒ１内のアクセスポイント５３のみを介して無線通信でコンソールＣに画像データＤ等の送信を行うことが可能になる。
【０１４５】
また、管理装置Ｓは、コンソールＣ１から上記の通知を受けると、当該ＦＰＤカセッテ１Ａに関する補正データ（すなわちゲイン補正データや欠陥補正データ等）をコンソールＣ１に送信する。そして、コンソールＣ１は、入手した補正データを記憶手段に記憶させておき、前述したように、それ以後、当該ＦＰＤカセッテ１Ａを用いて行われた撮影については、この補正データを用いて画像データＤ等に対する画像処理を行う。
【０１４６】
なお、図９や図１０に示したように、ＦＰＤカセッテ１のコネクタ３９とブッキー装置５１のコネクタ５１ｂと接続し、ＦＰＤカセッテ１が装填されたブッキー５１からコンソールＣに対してカセッテＩＤと当該ブッキー装置５１のブッキーＩＤを送信するように構成し、コンソールＣから管理装置Ｓに、例えば撮影室Ｒ１の立位撮影用のブッキー装置５１ＡにＦＰＤカセッテ１Ａが装填されたことを通知するように構成することも可能である。
【０１４７】
そして、このように構成すれば、例えば図１９に示すように、管理装置Ｓは、自らの記憶手段上のマップの「撮影室Ｒ１」の欄に、ＦＰＤカセッテ１ＡのカセッテＩＤ(1A)すなわち例えば「ＦＰＤ−００１」を立位撮影用のブッキー装置５１Ａと対応付けて管理することが可能となり、ＦＰＤカセッテ１の存在場所をより詳細に管理することが可能となる。
【０１４８】
一方、撮影者は、上記のように、ＦＰＤカセッテ１Ａの登録のためにクレードル５５を使用した場合には、続いてＦＰＤカセッテ１Ｂの登録もクレードル５５を用いて行うであろうが、ここでは、ＦＰＤカセッテ１Ｂの登録を、前述したポーリング操作で行う場合について説明する。
【０１４９】
その場合、撮影者が撮影室Ｒ１内でＦＰＤカセッテ１Ｂを操作してポーリングを行うと、撮影室Ｒ１に設置されたアクセスポイント５３ＦＰＤカセッテ１ＢにＳＳＩＤ(R1)が送信される。そして、ＦＰＤカセッテ１ＢがこのＳＳＩＤ(R1)を取得することで、ＦＰＤカセッテ１Ｂは、以後、撮影室Ｒ１内のアクセスポイント５３のみを介して無線通信でコンソールＣに画像データＤ等の送信を行うことが可能になる。
【０１５０】
そして、それと同時に、ＦＰＤカセッテ１Ｂは、自己のカセッテＩＤ(1B)をアクセスポイント５３や中継器５４を介してコンソールＣに送信する。
【０１５１】
コンソールＣ１では、上記のＦＰＤカセッテ１Ａの場合と同様に、送信されてきたカセッテＩＤ(1B)に付帯されている中継器ＩＤ(R1)を参照して、ＦＰＤカセッテ１Ｂが撮影室Ｒ１に存在することを認識し、ＦＰＤカセッテ１ＢのカセッテＩＤ(1B)を撮影室Ｒ１の識別情報に対応付けて記憶手段に保存する。そして、コンソールＣ１は、ＦＰＤカセッテ１Ｂが撮影室Ｒ１に存在することを管理装置Ｓに通知する。
【０１５２】
管理装置Ｓは、コンソールＣ１から上記の通知を受けると、その情報を自らの記憶手段に保存して管理するとともに、図２０に示すように、自らの記憶手段上のマップの「撮影室Ｒ１」の欄に、ＦＰＤカセッテ１ＢのカセッテＩＤ(1B)すなわち例えば「ＦＰＤ−００３」を保存する。そのため、マップの「撮影室Ｒ１」の欄には、すでに保存されているＦＰＤカセッテ１ＡのカセッテＩＤ(1A)（すなわち例えば「ＦＰＤ−００１」）と、今回保存されたＦＰＤカセッテ１ＢのカセッテＩＤ(1B)（すなわち例えば「ＦＰＤ−００３」）とが対応付けられる。
【０１５３】
そして、管理装置Ｓは、コンソールＣ１から上記の通知を受けた時点で、コンソールＣ１に対して、ＦＰＤカセッテ１Ｂに関する補正データを送信する。そして、コンソールＣ１は、入手した補正データを記憶手段に記憶させておく。
【０１５４】
なお、この場合、ＦＰＤカセッテ１Ｂは、すでに撮影室Ｒ１のアクセスポイント５３のＳＳＩＤ(R1)を取得しているため、管理装置Ｓは、ＳＳＩＤ(R1)をコンソールＣ１に通知して、コンソールＣ１からＦＰＤカセッテ１ＢにＳＳＩＤ(R1)を送信する必要はない。しかし、コンソールＣ１や管理装置Ｓが、ＰＦＤカセッテ１がポーリング操作されたか否かに関わらず、ＦＰＤカセッテ１にＳＳＩＤを送信するように構成した方が、処理構成が簡単になる。
【０１５５】
一方、例えば、撮影室Ｒ１に持ち込まれて上記の処理が行われたＦＰＤカセッテ１Ｂが、撮影者により、撮影室Ｒ１から持ち出されて撮影室Ｒ２に持ち運ばれて、撮影室Ｒ２のクレードル５５に挿入されたり、撮影室Ｒ２内でポーリング操作が行われると、上記と同様にして、撮影室Ｒ２と対応付けられているコンソールＣ１に、クレードル５５やブッキー装置５１やアクセスポイント５３から撮影室Ｒ２の中継器５４を介してＦＰＤカセッテ１ＢのカセッテＩＤ(1B)が送信されてくる。
【０１５６】
コンソールＣ１では、カセッテＩＤ(1B)に付帯されている中継器ＩＤ(R2)を参照して、ＦＰＤカセッテ１Ｂが撮影室Ｒ２に存在すること（すなわち撮影室Ｒ２に持ち込まれたこと）を認識する。そして、コンソールＣ１の記憶手段上では、上記のようにＦＰＤカセッテ１ＢのカセッテＩＤ(1B)が撮影室Ｒ１の識別情報に対応付けられているため、コンソールＣ１は、ＦＰＤカセッテ１ＢのカセッテＩＤ(1B)を、撮影室Ｒ２の識別情報に対応付けて保存するとともに、撮影室Ｒ１の識別情報に対応付けられているカセッテＩＤ(1B)の対応付けを解除する。
【０１５７】
そして、コンソールＣ１は、ＦＰＤカセッテ１Ｂが撮影室Ｒ２に存在することを管理装置Ｓに通知する。
【０１５８】
管理装置Ｓは、コンソールＣ１から上記の通知を受けると、自らの記憶手段上で、撮影室Ｒ１の識別情報に対応付けられているカセッテＩＤ(1B)の対応付けを解除して、カセッテＩＤ(1B)を撮影室Ｒ２の識別情報に対応付けて保存する。
【０１５９】
また、それとともに、管理装置Ｓは、自らの記憶手段上のマップの「撮影室Ｒ１」の欄に対応付けられていたＦＰＤカセッテ１ＢのカセッテＩＤ(1B)すなわち「ＦＰＤ−００３」（図２０参照）を解除し、図２１に示すように、マップの「撮影室Ｒ２」の欄にカセッテＩＤ(1B)である「ＦＰＤ−００３」を対応付けて保存する。
【０１６０】
また、管理装置Ｓは、コンソールＣ１から上記の通知を受けた時点で、撮影室Ｒ２内に設けられているアクセスポイント５３のＳＳＩＤ(R2)をコンソールＣ１に通知する。そして、このＳＳＩＤ(R2)が、コンソールＣ１から撮影室Ｒ２の中継器５４やクレードル５５等を介してＦＰＤカセッテ１Ｂに送信される。
【０１６１】
なお、管理装置Ｓは、コンソールＣ１に対して、すでにＦＰＤカセッテ１Ｂに関する補正データを送信しているため、再度送信する必要はないが、改めて送信するように構成することも可能である。
【０１６２】
また、上記の場合に、事前にコンソールＣ１が撮影室Ｒ１および撮影室Ｒ２を指定して対応付けた時点で、その情報をコンソールＣ１から管理装置Ｓに送信し、管理装置Ｓの記憶手段上で、コンソールＣ１と撮影室Ｒ１、Ｒ２とが対応付けられていることを保存するように構成することも可能である。その際、例えば図２２に示すように、マップの「撮影室Ｒ１」や「撮影室Ｒ２」に、コンソールＣ１が対応付けられているという内容も盛り込むように構成することも可能である。なお、マップに、各撮影室Ｒ内に存在するＦＰＤカセッテ１の情報以外のどのような情報を盛り込むかは適宜決められる。
【０１６３】
一方、例えば、他の撮影者により、コンソールＣ２（図７参照）と撮影室Ｒ３とが対応付けられ、例えばＦＰＤカセッテ１Ｂが撮影室Ｒ２から持ち出されて撮影室Ｒ３に持ち込まれて上記の処理が行われた場合、コンソールＣ２から通知を受けた管理装置Ｓは、撮影室Ｒ２の識別情報に対応付けられているＦＰＤカセッテ１ＢのカセッテＩＤ(1B)の対応付けを解除して、カセッテＩＤ(1B)を撮影室Ｒ３の識別情報に対応付けて保存する。
【０１６４】
また、それとともに、管理装置Ｓは、自らの記憶手段上のマップの「撮影室Ｒ２」の欄に対応付けられていたＦＰＤカセッテ１ＢのカセッテＩＤ(1B)すなわち「ＦＰＤ−００３」（図２１参照）を解除して、図２３に示すように、マップの「撮影室Ｒ３」の欄にカセッテＩＤ(1B)である「ＦＰＤ−００３」を対応付けて保存する。
【０１６５】
そして、管理装置Ｓは、上記と同様にして、撮影室Ｒ３内に設けられているアクセスポイント５３のＳＳＩＤ(R3)をコンソールＣ２に通知し、このＳＳＩＤ(R3)が、コンソールＣ１から撮影室Ｒ３の中継器５４やクレードル５５等を介してＦＰＤカセッテ１Ｂに送信される。
【０１６６】
また、管理装置ＳからコンソールＣ２に対して、ＦＰＤカセッテ１Ｂに関する補正データが送信される。
【０１６７】
また、上記の場合、ＦＰＤカセッテ１Ｂは、もはやコンソールＣ１に対応付けられた撮影室Ｒ２内には存在しないため、ＦＰＤカセッテ１Ｂを撮影室Ｒ１や撮影室Ｒ２に戻さない限り、ＦＰＤカセッテ１ＢからコンソールＣ１に画像データＤ等が送信されてくることはない。そのため、コンソールＣ１が、ＦＰＤカセッテ１Ｂ用の補正データ等を保持している必要はない。
【０１６８】
そこで、本実施形態では、上記のように、ＦＰＤカセッテ１Ｂが、コンソールＣ１と対応付けられていない撮影室Ｒ３に持ち運ばれて上記の処理が行われた場合、管理装置Ｓは、コンソールＣ１に、ＦＰＤカセッテ１Ｂに関する補正データ等の不要になったデータ等を、記憶手段から削除させるようになっている。
【０１６９】
このようにして、管理装置Ｓは、必要な情報を必要な装置に送信する一方で、不要になった情報を各装置から削除させて、固定型撮影システム５０内の情報の管理を行うようになっている。
【０１７０】
［移動型撮影システムについて］
次に、放射線画像撮影システム１００における移動型撮影システム７０について説明する。
【０１７１】
図２４に示すように、移動型撮影システム７０は、ポータブルの放射線源５２Ｐと、放射線発生装置５７とが回診車７１に搭載されており、また、回診車７１に設けられたアクセスポイント５３を、持ち運び可能なコンソールＣに有線接続することができるようになっている。なお、以下、移動型撮影システム７０に用いられるコンソールＣをコンソールＣ７０というが、基本的な構成は固定型撮影システム５０のコンソールＣと同じである。
【０１７２】
また、ＦＰＤカセッテ１は、放射線技師等の撮影者が持参してもよいが、ＦＰＤカセッテ１は比較的重く、落下すると壊れたり故障したりする可能性があるため、回診車７１に設けられたカセッテ用のポケット７１ａに挿入されて回診車７１とともに搬送できるようになっている。
【０１７３】
移動型撮影システム７０は、固定型撮影システム５０のように撮影室Ｒで行われる撮影には用いられず、図２４に示すように、回診車７１ごと病室Ｒｃ等に持ち込まれ、ＦＰＤカセッテ１を、例えばベッドＢに寝ている患者Ｈの身体とベッドＢとの間に差し込む等した状態で、ポータブルの放射線源５２Ｐから放射線を照射して、放射線画像撮影を行うためのシステムである。
【０１７４】
そして、少なくともＦＰＤカセッテ１からコンソールＣ７０への画像データＤ等の送信は、アクセスポイント５３を介して無線方式で行われるようになっている。
【０１７５】
固定型撮影システム５０まで移動できない患者は、点滴や輸血、生体モニター等のために患者の周辺にはケーブル類や管類が存在するので、撮影時のＦＰＤカセッテ１はケーブルレスであることが、患者の安全性を維持し、かつ、撮影ポジションの自由度を高める観点からは好ましい。
【０１７６】
その際、本本実施形態では、移動型撮影システム７０でのアクセスポイント５３には、固定型撮影システム５０のアクセスポイント５３、すなわち各撮影室Ｒ内に設けられた各アクセスポイント５３に割り当てられた何れの識別情報（すなわちＳＳＩＤ）とも異なる識別情報（ＳＳＩＤ）が割り当てられている。
【０１７７】
そのため、移動型撮影システム７０のアクセスポイント５３は、当該アクセスポイント５３のＳＳＩＤが設定されたＦＰＤカセッテ１から送信される画像データＤ等のみをコンソールＣ７０に送信し、固定型撮影システム５０のアクセスポイント５３のＳＳＩＤ等の他のＳＳＩＤが設定されたＦＰＤカセッテ１からは画像データＤ等を受け付けない。
【０１７８】
そのため、移動型撮影システム７０と固定型撮影システム５０との間で信号の混信が生じることを確実に防止することが可能となり、移動型撮影システム７０で用いられたＦＰＤカセッテ１から送信された画像データＤを、移動型撮影システム７０で撮影が行われた撮影オーダ情報に的確に対応付けることが可能となる。
【０１７９】
なお、移動型撮影システム７０におけるＦＰＤカセッテ１や放射線発生装置５７、アクセスポイント５３、コンソールＣ７０等における処理等については、上記の固定型撮影システム５０の場合と同様であり、説明を省略する。
【０１８０】
また、以下では、回診車７１に搭載されたコンソールＣ７０で放射線画像ｐの生成処理および撮影オーダ情報に対する対応付けまで行うことを前提に説明するが、例えば、回診車７１に搭載されたコンソールＣ７０では、撮影オーダ情報に、ＦＰＤカセッテ１から送信されてきた画像データＤと放射線発生装置５７から送信されてきた撮影実施結果の対応付けまで行い、後で、それらのデータが転送された別のコンソールＣ（例えば固定型撮影システム５０のコンソールＣ）で放射線画像ｐの生成処理を行うように構成することも可能である。なお、この場合も、プレビュー画像ｐ_pre（図１６参照）の確認作業は、回診車７１に搭載されたコンソールＣ７０で行われる。
【０１８１】
［移動型撮影システムにおける情報のやり取りの仕方等について］
以下、移動型撮影システム７０における各装置での処理や各装置間の情報のやり取りの仕方等について、５つのパターンを例示して説明する。
【０１８２】
なお、以下では、撮影に用いるＦＰＤカセッテ１が１つだけの場合について説明するが、撮影に複数のＦＰＤカセッテ１を用いる場合も、各ＦＰＤカセッテ１について、ＦＰＤカセッテ１が１つだけの場合と同様に処理が行われる。
【０１８３】
［パターン１］
パターン１では、回診車７１は１台だけであり、移動型撮影システム７０に回診専用の（すなわち固定型撮影システム５０では用いられない）ＦＰＤカセッテ１が備えられている場合について説明する。なお、以下、この回診専用のＦＰＤカセッテ１をＦＰＤカセッテ１αという。
【０１８４】
この場合、回診車７１は、病院や医院等の１フロア（すなわち１つの階）に設けられた各病室Ｒｃ（図２４参照）での撮影に用いられる場合もあり、また、１台の回診車７１が病院等の複数の階に運ばれて、各階での撮影に用いられる場合もこのパターン１に含まれる。
【０１８５】
また、ＦＰＤカセッテ１αは回診専用であるため、移動型撮影システム７０のアクセスポイント５３（図２４参照）のＳＳＩＤを、予めＦＰＤカセッテ１αにインストールしておくことができる。また、管理装置Ｓには、当該ＦＰＤカセッテ１αのカセッテＩＤが回診車７１の識別情報に対応付けられて管理されており、この対応付けが変更されることはない。
【０１８６】
このパターン１では、放射線技師等の撮影者は、まず、移動型撮影システム７０用のコンソールＣ７０を、管理装置Ｓが接続されているネットワークＮ（図７参照）に接続して、ＨＩＳやＲＩＳから撮影オーダ情報を取得し、図１４に示したように、必要な撮影オーダ情報を選択する。また、ＦＰＤカセッテ１αに関する補正データを管理装置Ｓからダウンロードする。コンソールＣ７０は、撮影オーダ情報や補正データを記憶手段に記憶させる。
【０１８７】
そして、撮影者は、ＦＰＤカセッテ１αとコンソールＣ７０を回診車７１の所に持参して、ＦＰＤカセッテ１αをカセッテ用のポケット７１ａに挿入し、コンソールＣ７０を回診車７１にセットする。そして、回診車７１を目的の病室Ｒｃ等に移動させ、図２４に示したように、ＦＰＤカセッテ１αを適切な位置にセットして、ポータブルの放射線源５２Ｐから放射線を照射させて撮影を行う。この時点で、放射線発生装置５７からコンソールＣ７０に撮影実施結果が送信される。
【０１８８】
また、ＦＰＤカセッテ１αは、無線通信手段であるアンテナ装置４１からアクセスポイント５３に無線方式で、まず、間引きデータＤｔを送信する。そして、続いて画像データＤを送信する。ＦＰＤカセッテ１αにインストールされたＳＳＩＤは回診車７１に設けられたアクセスポイント５３のＳＳＩＤであるから、アクセスポイント５３は、間引きデータＤｔや画像データＤを受信すると有線方式でそれらのデータを適切にコンソールＣ７０に送信する。
【０１８９】
コンソールＣ７０は、ＦＰＤカセッテ１αから送信されてきた画像データＤと放射線発生装置５７から送信されてきた撮影実施結果を、上記のように撮影オーダ情報に指定された内容に合致するものであることを確認したうえで、撮影オーダ情報に対応付ける。
【０１９０】
そして、コンソールＣ７０は、間引きデータＤｔに基づいてプレビュー画像ｐ_pre（図１６参照）を生成して所定時間表示し、その間に、プレビュー画像ｐ_preを見た撮影者が「ＮＧ」ボタンをクリックしなければ、放射線画像ｐの生成処理を開始する。そして、生成した放射線画像ｐが、撮影者により「ＯＫ」ボタンがクリックされて確定された時点で、確定された放射線画像ｐを撮影オーダ情報に対応付ける。
【０１９１】
このようにして、選択された撮影オーダ情報に基づく撮影が完了するまで、上記の作業が繰り返される。
【０１９２】
そして、撮影者は、撮影が完了すると、コンソールＣ７０を回診車７１から取り外して、ネットワークＮ（図７参照）に接続して、撮影オーダ情報等に対応付けられた放射線画像ｐを、放射線画像ｐ等を保管するＰＡＣＳ（Picture Archiving and Communication System）のサーバ等に送信するように構成される。
【０１９３】
［パターン２］
パターン２では、例えば病院の複数の階に回診車７１がそれぞれ備えられているが（すなわちポータブルの放射線源５２Ｐと放射線発生装置５７とアクセスポイント５３は各階で別々だが）、各回診車７１の各アクセスポイント５３には、同一のＳＳＩＤが割り当てられている場合について説明する。
【０１９４】
このように各アクセスポイント５３に同一のＳＳＩＤが割り当てられていても、階が異なれば、階同士の間で信号の混信が起こることはない。また、以下では、１階と２階にそれぞれ回診車７１が備えられている場合について説明するが、さらに多くの階にそれぞれ回診車７１が備えられている場合も同様に説明される。
【０１９５】
また、ＦＰＤカセッテ１は、回診専用ではなく、固定型撮影システム５０（すなわち撮影室Ｒ）と共用とされている。
【０１９６】
そのため、このパターン２では、ＦＰＤカセッテ１には、移動型撮影システム７０のアクセスポイント５３のＳＳＩＤを予めインストールしておくことができない。そこで、例えば図２５に示すように、回診車７１に設けられたアクセスポイント５３のＳＳＩＤをＦＰＤカセッテ１に通知して記憶させるための回診設定用のクレードル５５ａがネットワークＮに接続されている。
【０１９７】
なお、図２５では、回診車７１が１つだけ備えられているように記載されているが、前述したように、回診車７１は、複数の階にそれぞれ備えられている。また、回診設定用のクレードル５５ａは、ＦＰＤカセッテ１の図示しない保管場所やその近傍等の適宜の場所に設置することが可能であり、例えば、固定型撮影システム５０の特定の撮影室Ｒ或いは各撮影室Ｒに設置することも可能である。
【０１９８】
このパターン２では、放射線技師等の撮影者は、まず、ＦＰＤカセッテ１をその保管場所や撮影室Ｒ内から持ち出して、回診設定用のクレードル５５ａに挿入する。ＦＰＤカセッテ１は、クレードル５５ａに挿入されると、管理装置Ｓに自己のカセッテＩＤとクレードル５５ａのクレードルＩＤを送信する。
【０１９９】
管理装置Ｓは、ＦＰＤカセッテ１のカセッテＩＤ等が送信されてくると、回診車７１に設けられたアクセスポイント５３のＳＳＩＤをＦＰＤカセッテ１に通知して記憶させる。また、それとともに、管理装置Ｓは、当該ＦＰＤカセッテ１のカセッテＩＤを、移動型撮影システム７０の識別情報に対応付けて、当該ＦＰＤカセッテ１の存在場所が当該移動型撮影システム７０であることを管理する。
【０２００】
撮影者は、それと相前後して、移動型撮影システム７０用のコンソールＣ７０を、管理装置Ｓが接続されているネットワークＮに接続して、パターン１の場合と同様に、撮影オーダ情報を取得したり、上記のＦＰＤカセッテ１に関する補正データを管理装置Ｓからダウンロードしたりする。
【０２０１】
そして、撮影者は、例えば、まず、１階用の回診車７１の所にＦＰＤカセッテ１とコンソールＣ７０を持参してコンソールＣ７０を回診車７１にセットし、回診車７１を目的の病室Ｒｃ等に移動させて、或いはその前に、１階で行う撮影に関する撮影オーダ情報を、例えば図１４に示した選択画面Ｈ１上で選択する。
【０２０２】
そして、ＦＰＤカセッテ１を用いて、選択した撮影オーダ情報に対応する撮影を行う。その際、ＦＰＤカセッテ１はアンテナ装置４１から回診車７１のアクセスポイント５３に無線方式で間引きデータＤｔや画像データＤを送信するが、その際、取得したＳＳＩＤは回診車７１のアクセスポイント５３のＳＳＩＤであるから、アクセスポイント５３は、間引きデータＤｔや画像データＤを受信すると有線方式でそれらのデータを適切にコンソールＣ７０に送信する。
【０２０３】
コンソールＣ７０が、ＦＰＤカセッテ１αから送信されてきた画像データＤと放射線発生装置５７から送信されてきた撮影実施結果を、上記のように撮影オーダ情報に指定された内容に合致するものであることを確認したうえで、撮影オーダ情報に対応付けたり、確定された放射線画像ｐを撮影オーダ情報に対応付けること等は、パターン１で述べた通りである。
【０２０４】
このようにして、撮影を繰り返す。そして、撮影者は、患者ごとの、或いは所定の撮影回数ごとの、或いは１階で行う撮影として選択した全ての撮影オーダ情報に基づく撮影が終了した時点で、コンソールＣ７０を回診車７１から取り外して、１階に設けられたネットワークＮのハブ８０（図２５参照）に接続して、撮影オーダ情報等に対応付けられた放射線画像ｐをＰＡＣＳのサーバ等に送信する。
【０２０５】
そして、撮影者は、続いて、ＦＰＤカセッテ１とコンソールＣ７０を持参して２階に移動して、２階用の回診車７１の所に行ってコンソールＣ７０を回診車７１にセットし、２階で行う撮影に関する撮影オーダ情報を、例えば図１４に示した選択画面Ｈ１上で選択する。
【０２０６】
その際、パターン２では、１階用の回診車７１に搭載されているアクセスポイント５３のＳＳＩＤと２階用の回診車７１に搭載されているアクセスポイント５３のＳＳＩＤは同一であるから、ＦＰＤカセッテ１は、改めてＳＳＩＤを取得する必要はない。
【０２０７】
そして、１階での撮影と同様にして、２階での撮影が行われ、撮影者は、患者ごとの、或いは所定の撮影回数ごとの、或いは２階で行う撮影として選択した全ての撮影オーダ情報に基づく撮影が終了した時点で、コンソールＣ７０を回診車７１から取り外して、２階に設けられたネットワークＮのハブ８０に接続して、撮影オーダ情報等に対応付けられた放射線画像ｐをＰＡＣＳのサーバ等に送信するように構成される。
【０２０８】
なお、以下のパターン３〜５においても同様であるが、以上のようにして、移動型撮影システム７０を用いて撮影が行われた後、当該ＦＰＤカセッテ１を固定型撮影システム５０の撮影室Ｒで用いる場合には、固定型撮影システム５０の所で説明したように操作して、ＦＰＤカセッテ１に、当該撮影室Ｒ内に設けられたアクセスポイント５３のＳＳＩＤを取得させたうえで、撮影が行われる。
【０２０９】
また、以下のパターン３〜５においても同様であるが、各階にネットワークＮのハブ８０（図２５参照）を設ける場合、最初に、移動型撮影システム７０用のコンソールＣ７０をネットワークＮに接続して撮影オーダ情報を取得したり補正データをダウンロードする際に、何れかの階のハブ８０にコンソールＣ７０を接続して行うように構成することも可能である。
【０２１０】
［パターン３］
パターン３は、上記のパターン２の場合とほぼ同様であるが、病院等の複数の階に備えられている各回診車７１の各アクセスポイント５３にそれぞれ互いに異なるＳＳＩＤが割り当てられているパターンである。
【０２１１】
この場合、各階における処理はパターン２の場合と同様であるが、各階での撮影を行う前ごとに、放射線技師等の撮影者は、図２５に示した回診設定用のクレードル５５ａの所に行って、クレードル５５ａにＦＰＤカセッテ１を挿入して、これから撮影を行う階に備えられている回診車７１に設けられたアクセスポイント５３のＳＳＩＤを取得することが必要になる。
【０２１２】
この場合、例えば、回診設定用のクレードル５５ａに、各階用の設定に切り替えるための図示しない切替スイッチ等を設けておく。そして、まず、撮影者は、１階で撮影を行う前に、回診設定用のクレードル５５ａの切替スイッチを１階用の設定に切り替えたうえでクレードル５５ａにＦＰＤカセッテ１を挿入して、１階用の回診車７１のアクセスポイント５３のＳＳＩＤを管理装置Ｓから取得する。
【０２１３】
管理装置Ｓは、ＦＰＤカセッテ１のカセッテＩＤと、当該ＦＰＤカセッテ１を１階で用いるという情報等が送信されてくると、当該ＦＰＤカセッテ１のカセッテＩＤを、１階の回診車７１の識別情報に対応付けて、当該ＦＰＤカセッテ１の存在場所が１階の回診車７１であることを管理する。
【０２１４】
そして、撮影者は、上記と同様にして、コンソールＣ７０を回診車７１に搭載する等して各撮影を行い、１階での撮影が終了すると、コンソールＣ７０を１階用の回診車７１から取り外して、１階に設けられたネットワークＮのハブ８０に接続して、撮影オーダ情報等に対応付けられた放射線画像ｐをＰＡＣＳのサーバ等に送信する。
【０２１５】
そして、２階で撮影を行う前に、再度、回診設定用のクレードル５５ａの所にＦＰＤカセッテ１を持参して、切替スイッチを２階用の設定に切り替えたうえでクレードル５５ａにＦＰＤカセッテ１を挿入して、２階用の回診車７１のアクセスポイント５３のＳＳＩＤを管理装置Ｓから取得する。
【０２１６】
また、管理装置Ｓは、ＦＰＤカセッテ１のカセッテＩＤと、当該ＦＰＤカセッテ１を２階で用いるという情報等が送信されてくると、当該ＦＰＤカセッテ１のカセッテＩＤを、２階の回診車７１の識別情報に対応付けて、当該ＦＰＤカセッテ１の存在場所が２階の回診車７１であることを管理する。
【０２１７】
そして、撮影者は、１階で行った撮影の手順と撮影と同様にして、２階で各撮影を行い、各撮影オーダ情報等に対応付けられた各放射線画像ｐをＰＡＣＳのサーバ等に送信する。また、他の階での撮影があれば、同様の作業を繰り返すことになる。
【０２１８】
しかし、各階での撮影ごとに、回診設定用のクレードル５５ａの所に戻って各階のアクセスポイント５３のＳＳＩＤを取得するのでは、撮影者の負担が大きくなる虞れがある。そこで、例えば、各階のハブ８０（図２５参照）の近傍など、各階の適切な位置に、それぞれネットワークＮに接続された回診設定用のクレードル５５ａすなわちこの場合は各階専用のＳＳＩＤ設定用のクレードル５５ａを設けるように構成することも可能である。
【０２１９】
また、各階の回診設定用のクレードル５５ａを各階専用とはせず、クレードル５５ａに上記のような切替スイッチを設けておけば、ある階で撮影が終了してコンソールＣ７０をその階に設けられたハブ８０に接続する際に、同時に或いは相前後して、その近傍にある回診設定用のクレードル５５ａの切替スイッチを、次に撮影を行う階用の設定に切り替えてＦＰＤカセッテ１を挿入して、次に撮影を行う階に備えられた回診車７１のアクセスポイント５３のＳＳＩＤを取得することができる。
【０２２０】
このように構成すれば、コンソールＣ７０のハブ８０への接続と、ＦＰＤカセッテ１の回診設定用のクレードル５５ａへの挿入を一緒に行うことが可能となり、撮影者の負担を軽減することが可能となる。
【０２２１】
［パターン４］
しかし、実際に、病院等の各階に回診設定用のクレードル５５ａを設けて、それらをネットワークＮに接続するように構成すると、クレードル５５ａは前述したような大きさを有するＦＰＤカセッテ１を挿入するものであるため比較的大きなものであるため、クレードル５５ａを医師や患者等の邪魔にならない位置に配置したり配置するスペースを新たに確保しなければならず、また、ネットワークＮとクレードル５５ａとを接続するケーブルを病院等の各階に敷設したりしなければならず、必ずしも容易に導入できるとは限らない。
【０２２２】
そこで、パターン４では、上記のパターン３の場合と同様に、病院等の複数の階に備えられている各回診車７１の各アクセスポイント５３にそれぞれ互いに異なるＳＳＩＤが割り当てられている場合に、回診車７１に搭載するコンソールＣ７０を用いて、より簡単にＦＰＤカセッテ１に各階のアクセスポイント５３のＳＳＩＤを取得させるようになっている。
【０２２３】
なお、この場合も、ＦＰＤカセッテ１は、回診専用ではなく、固定型撮影システム５０（すなわち撮影室Ｒ）と共用とされている。また、図２６に示すように、このパターン４（および後述するパターン５）では、ネットワークＮには、いずれの階でも回診設定用のクレードル５５ａは接続されていない。
【０２２４】
具体的には、放射線技師等の撮影者は、まず、撮影室Ｒ（図２６参照）やＦＰＤカセッテ１の保管場所に行って、回診用に使用するＦＰＤカセッテ１を確保する。
【０２２５】
また、それと相前後して、撮影者は、移動型撮影システム７０用のコンソールＣ７０を管理装置Ｓが接続されているネットワークＮに接続して、撮影オーダ情報を取得する。また、使用するＦＰＤカセッテ１を管理装置Ｓに対して宣言する。そして、当該ＦＰＤカセッテ１に関する補正データを管理装置Ｓからダウンロードする。
【０２２６】
また、管理装置Ｓは、コンソールＣ７０から使用するＦＰＤカセッテ１のカセッテＩＤ等が送信されてくると、当該ＦＰＤカセッテ１のカセッテＩＤを、移動型撮影システム７０の識別情報に対応付けて、当該ＦＰＤカセッテ１の存在場所が移動型撮影システム７０であることを管理する。
【０２２７】
そして、撮影者は、例えば、ＦＰＤカセッテ１とコンソールＣ７０を１階用の回診車７１の所に持参して、コンソールＣ７０を回診車７１にセットし（或いはこの場合搭載するだけでもよい。）、回診車７１を、１階に設けられたネットワークＮのハブ８０（図２６参照）の近傍に運ぶ。なお、上記のように撮影オーダ情報等を取得するためのネットワークＮの接続位置と、ハブ８０の位置とが近接している場合や、同一の場合には、わざわざコンソールＣ７０を回診車７１にセット或いは搭載しなくてもよいことは言うまでもない。
【０２２８】
そして、撮影者は、コンソールＣ７０をハブ８０に接続し、ネットワークＮを介して管理装置Ｓから、１階の回診車７１に設けられたアクセスポイント５３のＳＳＩＤをダウンロードする。管理装置Ｓは、この時点で、コンソールＣ７０とともに使用するＦＰＤカセッテ１のカセッテＩＤを、１階の回診車７１の識別情報に対応付けて、当該ＦＰＤカセッテ１の存在場所が１階の回診車７１であることを管理する。
【０２２９】
そして、当該ＦＰＤカセッテ１に関する補正データを管理装置Ｓからダウンロードし、撮影者は、コンソールＣ７０を回診車７１にセットした後、或いはセットする前に、コンソールＣ７０とＦＰＤカセッテ１をケーブル接続する等して、コンソールＣ７０からＦＰＤカセッテ１にアクセスポイント５３のＳＳＩＤを有線送信する。このパターン４では、このようにして、ＦＰＤカセッテ１に、各階の回診車７１に設けられたアクセスポイント５３のＳＳＩＤを取得させるようになっている。
【０２３０】
なお、コンソールＣ７０とＦＰＤカセッテ１とを先にケーブル接続等しておき、その状態で、コンソールＣ７０をハブ８０に接続して、いわばコンソールＣ７０を経由する形でＦＰＤカセッテ１にＳＳＩＤをダウンロードして取得させるように構成することも可能である。
【０２３１】
また、ネットワーク接続することなしに、コンソールＣ７０に予め回診用に設定されている各ＳＳＩＤをダウンロードしておき、いずれを使用するかを放射線技師等の撮影者の入力によって、選択されたＳＳＩＤをＦＰＤカセッテ１にダウンロードする構成としてもよい。
【０２３２】
１階での撮影は、上記のパターンで説明したようにして行われる。そして、１階での撮影が終了すると、撮影者は、コンソールＣ７０を１階用の回診車７１から取り外して、１階に設けられたネットワークＮのハブ８０に接続して、撮影オーダ情報等に対応付けられた放射線画像ｐをＰＡＣＳのサーバ等に送信する。
【０２３３】
そして、コンソールＣ７０とＦＰＤカセッテ１を持参して２階に移動して、同様の手順で、ＦＰＤカセッテ１に、２階の回診車７１に設けられたアクセスポイント５３のＳＳＩＤを取得させた後、同様にして２階での撮影を行って、撮影オーダ情報等に対応付けられた放射線画像ｐをＰＡＣＳのサーバ等に送信する。他の階での撮影がある場合には、同様の手順が繰り返される。
【０２３４】
このように構成すれば、各階に回診設定用のクレードル５５ａ等を設けなくても、コンソールＣ７０を介してＦＰＤカセッテ１に的確に各階の回診車７１に設けられたアクセスポイント５３のＳＳＩＤを的確かつ容易に取得させることが可能となる。
【０２３５】
［パターン５］
また、パターン５では、上記のパターン４で説明した、ＦＰＤカセッテ１をケーブル接続したコンソールＣ７０をハブ８０に接続する手法をさらに改良して、ハブ８０にコンソールＣ７０だけでなくＦＰＤカセッテ１も接続できるように構成し、ＦＰＤカセッテ１がネットワークＮを介して管理装置Ｓから当該階におけるアクセスポイント５３のＳＳＩＤを直接取得するように構成することも可能である。
【０２３６】
このように構成すれば、各階に回診設定用のクレードル５５ａ等を設けなくてもよく、さらに、ＦＰＤカセッテ１がアクセスポイント５３のＳＳＩＤを取得する際に、ＦＰＤカセッテ１を直接ハブ８０に接続すればよくなるため、ＦＰＤカセッテ１に的確に各階の回診車７１に設けられたアクセスポイント５３のＳＳＩＤを的確かつ容易に取得させることが可能となる。
【０２３７】
コンソールＣ７０は、一般的なＰＣで構成されるので比較的安価であるのに対し、ＦＰＤカセッテ１は高価である。従って、コンソールＣ７０は各階専用に設置して移動不要とし、ＦＰＤカセッテ１のみを持ち回り、移動時の撮影者の負担を軽減することも可能となる。
【０２３８】
以上のように、本実施形態に係る放射線画像撮影システム１００によれば、固定型撮影システム５０と移動型撮影システム７０の何れにおいても、コンソールＣ（コンソールＣ７０を含む。）は、ＦＰＤカセッテ１から送信されてきた画像データＤ或いはそれに基づいて生成した放射線画像ｐが、撮影オーダ情報で指定したＦＰＤカセッテ１を用いて行われた撮影で得られたものかを確認し、また、放射線発生装置５７から送信されてきた撮影実施結果が撮影オーダ情報で指定した撮影条件を満たすものであるかを確認したうえで、画像データＤや放射線画像ｐと撮影実施結果とを撮影オーダ情報に対応付ける。
【０２３９】
また、少なくとも固定型撮影システム５０と移動型撮影システム７０とで、アクセスポイント５３の識別情報（すなわち上記の実施形態ではＳＳＩＤ）を互いに異なる識別情報としているため、固定型撮影システム５０で撮影を行ったＦＰＤカセッテ１からは固定型撮影システム５０のアクセスポイント５３のみを介してコンソールＣに画像データＤが送信され、また、移動型撮影システム７０で撮影を行ったＦＰＤカセッテ１からは移動型撮影システム７０のアクセスポイント５３のみを介してコンソールＣに画像データＤが送信される。
【０２４０】
その際、固定型撮影システム５０では各撮影室Ｒ内に設けられ、移動型撮影システム７０では例えば各階の回診車７１に設けられた各アクセスポイント５３に対して、それぞれ互いに異なる識別情報を割り当てておけば、当該撮影室Ｒや当該回診車７１のアクセスポイント５３のみを介してコンソールＣにコンソールＣに画像データＤが送信される。
【０２４１】
そのため、少なくとも固定型撮影システム５０と移動型撮影システム７０との間で、或いは、全てのシステム間で、送信される画像データＤの混信が生じることを確実に防止して、適切なコンソールＣのみに画像データＤを送信することが可能となる。また、ＦＰＤカセッテの所在を確実に把握することができる。
【０２４２】
そのため、ＦＰＤカセッテ１が撮影室Ｒだけでなく回診にも使用される状況においても、画像データＤや放射線画像ｐを撮影オーダ情報に的確に対応付けることが可能となるとともに、撮影に使用されたＦＰＤカセッテ１を的確に特定して、当該ＦＰＤカセッテ１に関する補正データを画像データＤに的確に適用することが可能となり、放射線画像ｐを適切に生成することが可能となる。
【０２４３】
また、そのため、画像データＤや放射線画像ｐの撮影オーダ情報への対応付けや、ＦＰＤカセッテ１に関する補正データの入手を、放射線技師等の撮影者がいちいち自ら行わなくても済むようになるため、放射線画像撮影システム１００が撮影者にとって非常に使い勝手が良いものになる。
【０２４４】
また、ＦＰＤカセッテ１が、固定型撮影システム５０および移動型撮影システム７０のうちのどの撮影システムに存在するか、各アクセスポイント５３ごとに割り振られているＳＳＩＤをキーに、知ることが可能となる。
【０２４５】
なお、固定型撮影システム５０においても移動型撮影システム７０においても同様であるが、ＦＰＤカセッテ１からコンソールＣに画像データＤ等のデータや信号等を送信する際に、データや信号等に、ＦＰＤカセッテ１のカセッテＩＤ等だけでなく、ＦＰＤカセッテ１が取得しているアクセスポイント５３のＳＳＩＤを付帯させて送信するように構成することが可能である。
【０２４６】
このように構成すれば、コンソールＣは、付帯されているＳＳＩＤを参照して、設定したアクセスポイント５３を介して送信されてきたデータや信号等であるかを確認することができるようになる。
【０２４７】
また、その他、本発明が上記の実施形態や各パターンに限定されず、適宜変更可能であることはいうまでもない。
【符号の説明】
【０２４８】
１  ＦＰＤカセッテ
４１  アンテナ装置（無線通信手段）
５０  固定型撮影システム
５２  放射線源
５２Ｐ  ポータブルの放射線源
５３  アクセスポイント
５７  放射線発生装置
７０  移動型撮影システム
１００  放射線画像撮影システム
Ｃ、Ｃ７０  コンソール
Ｄ  画像データ
ｐ  放射線画像
Ｒ  撮影室
Ｒ１〜Ｒ３  複数の撮影室
【図１】
0005776166.tif 000002
【図２】
0005776166.tif 000003
【図３】
0005776166.tif 000004
【図４】
0005776166.tif 000005
【図５】
0005776166.tif 000006
【図６】
0005776166.tif 000007
【図７】
0005776166.tif 000008
【図８】
0005776166.tif 000009
【図９】
0005776166.tif 000010
【図１０】
0005776166.tif 000011
【図１１】
0005776166.tif 000012
【図１２】
0005776166.tif 000013
【図１３】
0005776166.tif 000014
【図１４】
0005776166.tif 000015
【図１５】
0005776166.tif 000016
【図１６】
0005776166.tif 000017
【図１７】
0005776166.tif 000018
【図１８】
0005776166.tif 000019
【図１９】
0005776166.tif 000020
【図２０】
0005776166.tif 000021
【図２１】
0005776166.tif 000022
【図２２】
0005776166.tif 000023
【図２３】
0005776166.tif 000024
【図２４】
0005776166.tif 000025
【図２５】
0005776166.tif 000026
【図２６】
0005776166.tif 000027